(57)【要約】【課題】自動原稿搬送部における複数の原稿のセット順序を把握し、ユーザーが希望する形態のリングバインダ付きの冊子を適正に作製すること。【解決手段】画像形成装置ＩＦとリング製本装置ＲＧを有する画像形成システムでは、リングバインダ付きの冊子を作製することが出来る。自動原稿供給装置ＡＤＦに複数の原稿をセットし、原稿画像を形成した用紙を用いてリングバインダ付きの冊子を作製する場合、操作表示部ＯＰには、リング製本された冊子の表紙に対応する原稿を含む複数の原稿の自動原稿供給装置ＡＤＦにおけるセット順序に関して、ユーザーが設定する画面が表示され、ユーザーが選択した原稿のセット順序に基づいてリングバインダ付きの冊子が作製される。【選択図】図１
2012071445.tif 000002
【特許請求の範囲】
【請求項１】
リングバインダを用いて用紙束をリング製本するリング製本装置に接続可能であり、用紙に画像を形成する画像形成装置であって、
原稿の画像を読み取る画像読取部と、
セットされた複数の原稿を順次、前記画像読取部の読取位置に搬送する自動原稿搬送部と、
前記画像読取部により読み取られた画像データに基づいて用紙に画像を形成する画像形成部と、
所定の情報を表示するとともに、画像形成装置において実行するジョブの内容をユーザーによって設定可能な操作表示部と、
少なくとも前記画像読取部、前記自動原稿搬送部、前記画像形成部、及び前記操作表示部を制御する制御部と、を有し、
リング製本装置が画像形成装置に接続され、原稿の画像データに基づいて画像が形成された用紙を用いてリング製本のジョブを実行する場合、リング製本された冊子の表紙に対応する原稿を含む複数の原稿の前記自動原稿搬送部におけるセット順序に関して、ユーザーが設定する画面を前記操作表示部に表示するよう、前記制御部が前記操作表示部を制御することを特徴とする画像形成装置。
【請求項２】
リング製本装置が画像形成装置に接続され、原稿の画像データに基づいて画像が形成された用紙を用いてリング製本のジョブを実行する場合、リング製本された冊子を早く作製するために推奨する原稿のセット順序を表示し、その推奨する原稿のセット順序をユーザーが選択する画面を前記操作表示部に表示する、もしくは、音声ガイダンスで出力することを特徴とする請求項１に記載の画像形成装置。
【請求項３】
原稿のセット順序がリング製本された冊子を早く作製するために推奨する原稿のセット順序と異なる場合は、画像形成時に出力順序が正しくなるよう、出力順序を入れ替えて画像形成すべく、前記制御部が前記画像形成部を制御することを特徴とする請求項２に記載の画像形成装置。
【請求項４】
原稿のセット順序がリング製本された冊子を早く作製するために推奨する原稿のセット順序と異なる場合は、ウラ表紙となる出力１枚目に対応する原稿を前記画像読取部により読み取られた時点で、直ちにリング製本のジョブを開始することを特徴とする請求項２に記載の画像形成装置。
【請求項５】
前記画像読取部により読み取られた原稿の画像データを記憶する記憶部を有し、
リング製本のジョブ情報を前記記憶部に記憶する場合、リング製本された冊子の表紙に対応する原稿を含む複数の原稿の前記記憶部における記憶順序に関して、ユーザーが設定する画面を前記操作表示部に表示するよう、前記制御部が前記操作表示部を制御することを特徴とする請求項１から４の何れか１項に記載の画像形成装置。
【請求項６】
原稿の記憶順序が出力順序とは異なる場合は、画像形成時に出力順序が正しくなるよう、出力順序を入れ替えて画像形成すべく、前記制御部が前記画像形成部を制御することを特徴とする請求項５に記載の画像形成装置。
【請求項７】
リング製本された冊子の表紙に対応する原稿を検出する検出部を有し、
リング製本された冊子の表紙に対応する原稿を含む複数の原稿の前記自動原稿搬送部におけるセット順序に関して前記操作表示部を通じてユーザーが設定しない場合、前記検出部の検出結果に基づいて少なくとも冊子の表紙に対する画像形成順序を調整するよう、前記制御部が少なくとも前記画像形成部を制御することを特徴とする請求項１から６の何れか１項に記載の画像形成装置。
【請求項８】
ウラ表紙となる出力１枚目に対応する原稿を検出した時点で、直ちにリング製本のジョブを開始することを特徴とする請求項７に記載の画像形成装置。
【請求項９】
請求項１から８の何れか１項に記載された画像形成装置と、
前記画像形成装置から出力された用紙によって構成される用紙束に対し、リングバインダを用いてリング製本するリング製本装置と、
を有することを特徴とする画像形成システム。
【発明の詳細な説明】
【技術分野】
【０００１】
本発明は、画像形成装置及び画像形成システムに関する。
【背景技術】
【０００２】
近年、画像形成装置は単に画像形成を行うだけでなく、種々の後処理を行う後処理装置と接続されて画像形成システムとなり、事務処理の効率化を図るようになっている。後処理としては、例えば、パンチ処理、ステープル処理、表紙や挿入紙を挿入するシート挿入処理、中折りや三折りなどの折り処理、製本処理などがある。
【０００３】
製本処理の一つにリング製本の処理があり、このリング製本の処理は用紙束にあけられた複数の穴にリングバインダを装着して綴じることにより、リングバインダ付きの冊子を作製するものである。
【０００４】
リング製本を行うリング製本装置としては、例えば特許文献１に記載された技術があり、リング製本の処理を含め各種の製本処理をユーザーの要望に応じて行えるようになっている。
【先行技術文献】
【特許文献】
【０００５】
【特許文献１】特開２００９−１６６９２５号公報
【発明の概要】
【発明が解決しようとする課題】
【０００６】
画像形成装置とリング製本装置を接続した画像形成システムを利用すれば、画像を形成した用紙を用いてリングバインダ付きの冊子を自動的に作製することが可能であるが、リングバインダ付きの冊子の見栄え、リングバインダの種類、画像形成装置やリング製本装置の機械構成等が影響して、自動的にリングバインダ付きの冊子を作製するために一定の制約が存在する場合がある。リングバインダ付きの冊子を自動的に作製するための制約に関し、その一例を図１０、図１１を用いて説明する。
【０００７】
図１０は、背骨部ＲＢ１を備えたリングバインダＲＢを用いて作製した冊子ＢＫの一例を示す説明図である。図１０（ａ）は、リング製本装置で作製された直後の冊子ＢＫの状態を示す斜視図であり、図１０（ｂ）は、リング製本装置で作製された直後の冊子ＢＫのリングバインダＲＢ周辺を示す部分拡大図である。
【０００８】
図１０に示すように、リングバインダＲＢ付きの冊子ＢＫは、複数枚の用紙からなる用紙束のパンチ穴Ｈ（図１０（ｂ）参照）に平板の指状部ＲＢ２が挿入された後、背骨部ＲＢ１の上に指状部ＲＢ２が重なるようにリング製本がなされて作製される。しかし、リング製本装置により作製された直後の冊子ＢＫは、図１０（ａ）に示すようにリングバインダＲＢの背骨部ＲＢ１が表面に露出しているために見栄えが良くない。
【０００９】
これを避けるため、リング製本装置により作製された直後の冊子ＢＫを図１０（ｂ）に示すようにユーザーが一番下にある用紙（ｎ枚目の用紙）を１枚めくって裏返して、冊子ＢＫとしての完成した状態にする。つまり、図１０（ｂ）に示すｎ枚目の用紙が冊子ＢＫの「ウラ表紙」となり、１枚目の用紙が冊子ＢＫの「オモテ表紙」となる。冊子ＢＫの最終形態としては、背骨部ＲＢ１がウラ表紙であるｎ枚目の用紙とその１枚前の用紙（図１０（ｂ）ではｎ−１枚目の用紙）との間に隠れるため、冊子ＢＫの最終形態は見栄えがよく、ユーザーがオモテ表紙から順々にページをめくって冊子ＢＫの内部を見るのに支障がない。
【００１０】
ここで、図１０に示す冊子ＢＫを作製するための制約について検討すると、図１０に示す冊子ＢＫを作製するため、画像形成装置とリング製本装置を接続した画像形成システムでは、必ず図１１（ａ）に示すように最下層にウラ表紙であるｎ枚目の用紙をリング製本装置で載置し、次にオモテ表紙である１枚目、次に２枚目と重ね、最後にｎ−１枚目の用紙を重ね、作製した用紙束に対してリングバインダＲＢを取り付ける必要がある。画像形成順序で考えると、必ずウラ表紙であるｎ枚目の用紙から画像形成を行い、次にオモテ表紙である１枚目、次に２枚目と画像形成を行い、最後にｎ−１枚目の画像形成を行う必要がある。このように図１０に示す冊子ＢＫを作製するためには、用紙の重ね順序、画像形成順序において一定の制約が存在する。
【００１１】
画像形成装置の自動原稿搬送部にセットされた複数の原稿を上から順にスキャナで読み取ってリング製本を実行する場合、セットされた複数の原稿の中でウラ表紙やオモテ表紙、表紙間に挟まれる用紙がどのような順序でセットされているか画像形成装置側で認識出来ないと、上記の制約に沿って正確にリング製本のジョブを実行できず、ユーザーが希望するリングバインダＲＢ付きの冊子ＢＫが作製出来ない。
【００１２】
図１０、図１１を用いて説明した冊子ＢＫの制約は一例であり、他にもリングバインダ付きの冊子の形態や、画像形成装置やリング製本装置の機械構成等が影響して、画像形成順序等の制約が存在する場合があり、画像形成装置の自動原稿搬送部にセットされた複数の原稿を上から順にスキャナで読み取ってリング製本を実行する場合、セットされた複数の原稿の中でウラ表紙やオモテ表紙、表紙間に挟まれる用紙がどのような順序でセットされているか、適正に画像形成装置側で認識することは必要である。
【００１３】
そこで、本発明の目的は、自動原稿搬送部における複数の原稿のセット順序を把握し、ユーザーが希望する形態のリングバインダ付きの冊子を適正に作製する画像形成装置及び画像形成システムを提供することにある。
【課題を解決するための手段】
【００１４】
上記目的を達成するため、本発明に係る画像形成装置は、
リングバインダを用いて用紙束をリング製本するリング製本装置に接続可能であり、用紙に画像を形成する画像形成装置であって、
原稿の画像を読み取る画像読取部と、
セットされた複数の原稿を順次、前記画像読取部の読取位置に搬送する自動原稿搬送部と、
前記画像読取部により読み取られた画像データに基づいて用紙に画像を形成する画像形成部と、
所定の情報を表示するとともに、画像形成装置において実行するジョブの内容をユーザーによって設定可能な操作表示部と、
少なくとも前記画像読取部、前記自動原稿搬送部、前記画像形成部、及び前記操作表示部を制御する制御部と、を有し、
リング製本装置が画像形成装置に接続され、原稿の画像データに基づいて画像が形成された用紙を用いてリング製本のジョブを実行する場合、リング製本された冊子の表紙に対応する原稿を含む複数の原稿の前記自動原稿搬送部におけるセット順序に関して、ユーザーが設定する画面を前記操作表示部に表示するよう、前記制御部が前記操作表示部を制御することを特徴とするものである。
【００１５】
また、本発明に係る画像形成システムは、
前記画像形成装置と、
前記画像形成装置から出力された用紙によって構成される用紙束に対し、リングバインダを用いてリング製本するリング製本装置と、
を有することを特徴とするものである。
【発明の効果】
【００１６】
本発明に係る画像形成装置及び画像形成システムを利用すれば、自動原稿搬送部における複数の原稿のセット順序を把握し、ユーザーが希望する形態のリングバインダ付きの冊子を適正に作製することが出来る。
【図面の簡単な説明】
【００１７】
【図１】本発明に係る画像形成システムの中央断面図である。
【図２】図１に示されるリング製本装置を拡大して示す中央断面図である。
【図３】リング製本前のリングバインダを示す図である。
【図４】リング製本後のリングバインダを示す図である。
【図５】リング製本の動作に係わる画像形成システムの要部を示すブロック図である。
【図６】画像形成装置の操作表示部に表示される設定画面を示す説明図である。
【図７】画像形成装置の操作表示部に表示される設定画面を示す説明図である。
【図８】画像形成装置の操作表示部に表示される設定画面を示す説明図である。
【図９】画像形成装置の操作表示部に表示される設定画面を示す説明図である。
【図１０】背骨部を備えたリングバインダを用いて作製した冊子の一例を示す説明図である。
【図１１】冊子の重ね順序、画像形成順序を示す説明図である。
【発明を実施するための形態】
【００１８】
［画像形成システムの概要］
図１は、画像形成システムの中央断面図である。
【００１９】
図１に示す画像形成システムは、大容量給紙装置ＬＴ、画像形成装置ＩＦ、表紙や仕切紙を用紙束に挿入する用紙挿入装置ＩＮ、リング製本装置ＲＧ、各種の後処理を行うフィニッシャ装置ＦＮを連結したシステムである。
【００２０】
大容量給紙装置ＬＴは、３段の給紙トレイＬＴ１、ＬＴ２、ＬＴ３を備え、用紙を画像形成装置ＩＦに供給する。
【００２１】
画像形成装置ＩＦは、電子写真方式やオフセット印刷方式などで画像形成を行う装置であり、画像形成部１、２段の給紙トレイＰＦ１、ＰＦ２、自動原稿供給装置（自動原稿搬送部）ＡＤＦ、スキャナ（画像読取部）２、操作表示部ＯＰ等を有している。
【００２２】
画像形成部１は、例えば電子写真方式により用紙に画像形成（印刷）を行うものである。電子写真方式の場合の画像形成部１は、感光体ドラム、帯電装置、現像装置、転写装置、定着装置、クリーニング装置等から構成されており、モノクロ或いはフルカラーの画像を形成する。自動原稿供給装置ＡＤＦにセットされた複数の原稿は上から順にスキャナ２に搬送され、スキャナ２において原稿の画像データが読み取られる。
【００２３】
用紙挿入装置ＩＮは、上部に２段、内部に１段のあわせて３つの用紙挿入トレイＩＴ１、ＩＴ２、ＩＴ３を備え、色や厚みの異なる表紙や仕切り用の用紙をセットでき、操作表示部ＯＰから入力された指示、或いはネットワークにつながるコンピュータからのプリント指示に含まれる用紙挿入情報に基づいて用紙束の所定位置に用紙を挿入する。
【００２４】
フィニッシャ装置ＦＮは、ファイル用の２穴パンチを行うパンチ部ＦＮ１、平綴じを行う平綴じ部ＦＮ２、中綴じを行う中綴じ部ＦＮ３、用紙を中折りや三折りする折り部ＦＮ４を備え、用紙に各種の後処理を行った後、昇降トレイＴ１または下部トレイＴ２に排紙するものである。
【００２５】
それぞれの装置は、制御部ＣＬ１〜ＣＬ５を有し、通信ラインで交信しながら画像形成及び後処理を行う。
【００２６】
［リング製本装置の概要］
図２は、図１に示されるリング製本装置ＲＧを拡大して示す中央断面図である。
【００２７】
まず、図２に示すリング製本装置ＲＧで使用するリングバインダＲＢについて図３を用いて説明する。図３は、リング製本前のリングバインダＲＢを示す図である。図３（ａ）はリングバインダＲＢの上面図、図３（ｂ）はリングバインダＲＢの側面図である。
【００２８】
図３に示すように、リング製本を行う前のシート状のリングバインダＲＢは、背骨部ＲＢ１と、背骨部ＲＢ１の長辺から垂直方向に延びる複数の指状部ＲＢ２と、からなる平板である。材料としてはポリエステルやセルロースエステル類の樹脂フィルムなどを使用できる。図３に示す指状部ＲＢ２を湾曲に折り曲げて円筒状にすることにより用紙束を束ねるリングが形成される。
【００２９】
図４（ａ）、図４（ｂ）は、図３に示したシート状のリングバインダＲＢを折り曲げた後のリングバインダＲＢを示す図であり、それぞれの指状部ＲＢ２の先端Ｃから所定長さの部分が接着剤により背骨部ＲＢ１と接合される。これによってリングバインダＲＢは、背骨部ＲＢ１の長辺に沿って複数のリングが並んだ状態となる。
【００３０】
次に、図２を用いてリング製本装置ＲＧの概要を説明する。
【００３１】
用紙挿入装置ＩＮ（図１参照）からの用紙搬送路は、リング製本装置ＲＧを水平に横切る水平搬送路１０に接続されており、水平搬送路１０に設けられた切換ゲートＧ１、Ｇ２により搬送経路を切り替えることが出来る。
【００３２】
後処理を行わない場合は、切換ゲートＧ１で上方の搬送路に用紙を搬送することにより排紙皿１１に用紙を排紙する。また、搬送された用紙をリング製本装置ＲＧで処理せずに下流側で後処理する場合は、切換ゲートＧ１、Ｇ２で用紙をストレートに搬送することにより下流側のフィニッシャ装置ＦＮに搬送させることが出来る。そしてリング製本装置ＲＧでリングバインダＲＢによりリング製本を行う場合は、切換ゲートＧ２により下方の搬送路に用紙を搬送する。また、リング製本装置ＲＧの上部には給紙トレイ１２が設けられており、オフライン製本を行うときに、給紙トレイ１２から用紙を順次給紙して水平搬送路１０に合流させる。
【００３３】
水平搬送路１０の中央から下方に分岐する製本搬送路１３がリング製本を行う用紙を搬送する搬送路である。用紙は搬送路１３を通り、斜めに配置されたトレイ１４上を一旦上方に搬送され、製本搬送路１３から用紙後端が外れるとトレイ１４に沿って下方に下り、ストッパ１５に当たって停止する。
【００３４】
ストッパ１５は、トレイ１４に沿って移動可能であり、トレイ１４の中ほどに設けられるパンチ機構１６に用紙の先端が挟みこまれる位置で用紙を停止させる。
【００３５】
パンチ機構１６は、パンチとダイからなる公知の機構であるが、リング製本を行うための複数のパンチ穴を穿孔できるだけの数のパンチとダイが紙面垂直方向に配設されており、ストッパ１５で停止されている用紙を穿孔してパンチ穴を形成する。パンチ穴形成後、ストッパ１５が一旦トレイ１４の最下方位置まで下降する。
【００３６】
ところで、リング製本を行う際に、予めパンチ穴が形成された用紙を用いる場合がある。このような場合は、ストッパ１５はトレイ１４の最下方位置まで下がって用紙を停止させる。予めパンチ穴が形成された用紙かどうかは、搬送路に設けられた図示しないセンサにより検知することができる。或いは、操作表示部ＯＰでパンチ穴ありの指示を入力するようにしても良い。
【００３７】
パンチ機構１６でパンチ穴が形成された用紙、或いは予めパンチ穴が形成された用紙は、次にストッパ１５の上昇によりトレイ１４に沿って上昇し、ゲートＧ３でバインド搬送路１７に送られる。
【００３８】
バインド搬送路１７の下流にはスタッカ１８が設けられており、送られてくる用紙を収納する。用紙はスタッカ１８内にパンチ穴が形成された長辺が図の左側になるように順次積載される。
【００３９】
１セット分の用紙束の収納が終了すると、スタッカ１８の左上のカートリッジ１９からリングバインダＲＢを取り出して、用紙束のパンチ穴に指状部ＲＢ２（図３、図４参照）を入れ込む作業が行われる。カートリッジ１９には、平板状の複数のリングバインダＲＢが積み重ねて収容されており、この中から１枚のリングバインダＲＢを取り出すのである。カートリッジ１９内のリングバインダＲＢがなくなるとカートリッジごと新しいものに交換される。
【００４０】
次いで、リングバインダＲＢ付きの用紙束は、下方のバインダ２０に受け渡され、バインダ２０で、リングバインダＲＢの指状部ＲＢ２がリング状に折り曲げられ、指状部ＲＢ２の所定位置が背骨部ＲＢ１に接着固定される。この状態の冊子が図１０（ａ）に示すものである。接着固定する指状部ＲＢ２の位置は、用紙束の厚みに応じて可変であり、冊子の厚さに応じた適切なリング径となるように調整される。
【００４１】
このようにしてリング製本がなされた冊子は、ベルトコンベア２１ａ、２１ｂでトレイ２２に運ばれる。トレイ２２は上下に昇降可能であり、多数の冊子を積載することができる。トレイ２２を囲む四角の線の部分は、リング製本装置ＲＧから引き出し可能に構成されており、オペレータが出来上がった冊子を取り出す。
【００４２】
リング製本がなされた冊子は、図１０（ａ）に示すように、背骨部ＲＢ１とこれに接着された指状部ＲＢ２とが表面に出た状態となっている。このとき、１枚目の用紙がオモテ表紙である。一番下がｎ枚目のウラ表紙である。この状態からユーザーが、ウラ表紙を２点鎖線で示すようにひっくり返して表面側に持ってくる（図１０（ｂ）参照）。これにより背骨部ＲＢ１と指状部ＲＢ２とがウラ表紙で隠され、冊子ＢＫの外観が良好になる。
【００４３】
以上説明したように、図２に示したリング製本装置ＲＧにおいて、リング製本が行われ、リングバインダ付きの冊子ＢＫが作製される。
【００４４】
［画像形成システムのブロック図］
図５は、リング製本の動作に係わる画像形成システムの要部を示すブロック図である。
【００４５】
画像形成装置ＩＦは、主に、制御部ＣＬ２、画像形成部１、スキャナ２、操作表示部ＯＰ、ハードディスクからなる記憶部ＨＤＤ、表紙検出部（検出部）ＨＫ、インターフェイスＡ１１、通信部Ａ１０を備える。
【００４６】
制御部ＣＬ２は、ＣＰＵ、ＲＯＭ、ＲＡＭ、その他の周辺デバイスを備え、画像形成部１、スキャナ２、操作表示部ＯＰ、記憶部ＨＤＤ、表紙検出部ＨＫ等の動作を制御する。
【００４７】
Ａ１１はＬＡＮ等のネットワークを介した通信を行うインターフェイス（Ｉ／Ｆ）である。インターフェイスＡ１１を経由してネットワークに接続されている外部のコンピュータ等から画像データを含む印刷ジョブを受信し、その印刷ジョブを記憶部ＨＤＤに一旦記憶して画像形成を行う。
【００４８】
操作表示部ＯＰは、液晶パネルで構成される表示部にタッチスクリーンの操作部を重ねて配置したタッチパネルである。操作表示部ＯＰからはオペレータによる印刷ジョブやリング製本ジョブの設定が行われ、設定に応じた各種表示が行われる。
【００４９】
表紙検出部ＨＫは、画像形成装置ＩＦの自動原稿供給装置ＡＤＦにセットされた複数の原稿を上から順にスキャナ２で読み取ってリング製本を実行する場合、セットされた複数の原稿の中からウラ表紙やオモテ表紙を検出するものである。表紙検出部ＨＫの検出動作については後述する。
【００５０】
Ａ１０は通信部であり、少なくともリング製本装置ＲＧに接続され、リング製本装置ＲＧとの間で各種データを送受信する。
【００５１】
リング製本装置ＲＧは、主に、制御部ＣＬ４、パンチ部、リング製本部、各種センサ、通信部Ｂ１０を備えている。
【００５２】
制御部ＣＬ４は、制御部ＣＬ２と同様の構成でありプログラムに従ってリング製本装置ＲＧの各種制御を実行する。通信部Ｂ１０は、画像形成装置ＩＦの通信部Ａ１０に接続され、画像形成装置ＩＦとの間で各種データを送受信する。
【００５３】
［操作表示部におけるリング製本の設定画面］
次に、画像形成装置ＩＦの操作表示部ＯＰにおいてリング製本のジョブを設定する画面について説明する。
【００５４】
前述したように、図１に示す画像形成システムにおいてリング製本のジョブを実行した場合、作製されたリングバインダＲＢ付きの冊子ＢＫは図１０（ａ）に示すような形態となっている。そして、図１０（ａ）に示す冊子ＢＫに対してユーザーがウラ表紙（図１０（ｂ）に示すｎ枚目）をひっくり返して表面側に持ってくる。これにより背骨部ＲＢ１と指状部ＲＢ２とがウラ表紙で隠され、冊子ＢＫが完成する。
【００５５】
図１０（ａ）に示す形態の冊子ＢＫを作製する場合、画像形成装置ＩＦとリング製本装置ＲＧを有する画像形成システムでは、必ず図１１（ａ）に示すように最下層にウラ表紙であるｎ枚目の用紙をリング製本装置ＲＧで載置し、次にオモテ表紙である１枚目、次に２枚目と重ね、最後にｎ−１枚目の用紙を重ね、作製した用紙束に対してリングバインダＲＢを取り付ける必要がある。画像形成装置ＩＦにおける画像形成順序で考えると、図１１（ｂ）に示すように、必ずウラ表紙であるｎ枚目の用紙から画像形成を行い、次にオモテ表紙である１枚目、次に２枚目と画像形成を行い、最後にｎ−１枚目の画像形成を行う必要がある。
【００５６】
画像形成装置ＩＦの自動原稿供給装置ＡＤＦにセットされた複数の原稿を上から順にスキャナ２で読み取ってリング製本のジョブを実行する場合、セットされた複数の原稿の中でウラ表紙やオモテ表紙、表紙間に挟まれる用紙がどのような順序でセットされているか画像形成装置ＩＦで認識出来ないと、画像形成装置ＩＦにおけるリング製本用の画像形成順序、リング製本装置ＲＧにおけるリング製本用の用紙重ね順序に沿って正確にリング製本のジョブを実行出来ないことになってしまう。
【００５７】
そこで、画像形成装置ＩＦでは、画像形成装置ＩＦの自動原稿供給装置ＡＤＦにセットされた複数の原稿を上から順にスキャナ２で読み取ってリング製本のジョブを実行する場合、セットされた複数の原稿の中でウラ表紙やオモテ表紙、表紙間に挟まれる用紙がどのような順序でセットされているか操作表示部ＯＰを通じて設定する画面を表示し、ユーザーが選択するようになっている。以下、この点について詳しく説明する。
【００５８】
図６〜図９は、画像形成装置ＩＦの操作表示部ＯＰに表示される設定画面を示す説明図である。なお、操作表示部ＯＰに表示される設定画面は、制御部ＣＬ２により制御される。
【００５９】
画像形成装置ＩＦの自動原稿供給装置ＡＤＦに複数の原稿（オモテ表紙やウラ表紙を含む）をセットし、複数の原稿を上から順にスキャナ２で読み取ってリング製本のジョブを実行する場合、図６に示す設定画面においてリングバインド釦ＯＰ１をユーザーが押し、リング製本のジョブ設定を行う。
【００６０】
図６に示す設定画面でユーザーがリングバインド釦ＯＰ１を押すと、操作表示部ＯＰには図７に示す設定画面が表示される。図７に示す設定画面では、複数の原稿の中に含まれているオモテ表紙、ウラ表紙、表紙間に挟まれる中身の用紙がどのような順序で自動原稿供給装置ＡＤＦにセットされるかを画像形成装置ＩＦに認識させる方法を設定する（自動原稿供給装置ＡＤＦにセットされた複数の原稿におけるオモテ表紙、ウラ表紙、中身の用紙等の重ね順序を以下、「セット順序」と呼ぶ）。
【００６１】
原稿のセット順を画像形成装置ＩＦに認識させる方法は二つある。一つは、自動原稿供給装置ＡＤＦにおける原稿のセット順序をユーザーが直接、手動で設定することにより画像形成装置ＩＦに認識させる方法であり、もう一つは、自動原稿供給装置ＡＤＦにおける原稿のセット順序を画像形成装置ＩＦに自動で認識させる方法である。
【００６２】
オモテ表紙、ウラ表紙、表紙間に挟まれる中身の用紙がどのような順序で自動原稿供給装置ＡＤＦにセットされるかをユーザーが直接、手動で設定する場合は、図７に示す選択釦ＯＰ２を押して「オモテ表紙・ウラ表紙  手動認識」を選択した後、下にあるＯＫ釦ＯＰ５を押す。一方、オモテ表紙、ウラ表紙、表紙間に挟まれる中身の用紙がどのような順序で自動原稿供給装置ＡＤＦにセットされるかを画像形成装置ＩＦに自動で認識させる場合は、図７における選択釦ＯＰ３を押して「オモテ表紙・ウラ表紙  自動認識」を選択した後、下にあるＯＫ釦ＯＰ５を押す。
【００６３】
なお、画像形成装置システムでは、リング製本のジョブを実行してリングバインダＲＢ付きの冊子ＢＫを作製するとともに、リング製本のジョブを画像形成装置ＩＦの記憶部ＨＤＤに記憶させることが可能である。リングバインダＲＢ付きの冊子ＢＫを作製するとともにリング製本のジョブを画像形成装置ＩＦの記憶部ＨＤＤに記憶させる場合は、ＯＫ釦ＯＰ５を押す前に、保存実行釦ＯＰ４を押して選択する。
【００６４】
図７の設定画面において選択釦ＯＰ２を押して、「オモテ表紙・ウラ表紙  手動認識」を選択した場合は、図８に示す設定画面が操作表示部ＯＰに表示される。図８の設定画面では、「ユーザー手動指定・原稿設定」「原稿順設定」「おすすめ原稿設定」の３種類の設定が可能である。
【００６５】
図８に示す設定画面の左側に表示される「ユーザー手動指定・原稿設定」は、自動原稿供給装置ＡＤＦに複数の原稿を不規則な順序に重ねてセットする場合に利用される設定画面である。「ユーザー手動指定・原稿設定」を利用して原稿のセット順序を設定する場合は、ウラ表紙、オモテ表紙、中身の１枚目の用紙が各々セットされた原稿の上から何枚目にセットされるのかを枚数釦ＰＢを押して枚数釦ＰＢの左に表示される数字を調整する。
【００６６】
ウラ表紙、オモテ表紙、中身１枚目の用紙が各々セットされた原稿の上から何枚目にセットされるのかユーザーが設定すると、それ以外にセットされる原稿は中身の用紙として判断され、中身１枚目の用紙の下の用紙が中身２枚目の用紙、その下が中身３枚目の用紙・・・・というように設定されたことになる（中身１枚目の用紙の上に他の中身の用紙がセットされる場合は、図８では示さないが他の設定画面で中身の用紙のセット順序を設定する）。
【００６７】
自動原稿供給装置ＡＤＦでセットされる複数の原稿において、オモテ表紙等の位置が枚数釦ＰＢで設定した後、選択釦ＯＰ６を押し、その後ＯＫ釦ＯＰ９を押して「ユーザー手動指定・原稿設定」を利用した原稿のセット順序の設定が完了する。その後、操作表示部ＯＰにおけるスタート釦（不図示）がユーザーによって押されてリング製本のジョブが実行される。
【００６８】
自動原稿供給装置ＡＤＦにセットされた複数の原稿が順々にスキャナ２で読み取られる際に、図８に示す設定画面を通じてユーザーが設定した情報に基づき、どの原稿をどのような順序で読み取ったのか画像形成装置ＩＦにおいて認識でき、読み取った画像を一旦保存しつつ、ウラ表紙の原稿が読み取られたらリング製本のジョブにおける画像形成動作を開始し、図１１（ｂ）に示すリング製本用の画像形成順序に沿って適切に画像を形成出来る。そして画像が形成された用紙を利用してリング製本装置ＲＧにおいてリング製本され、図１０（ａ）に示す冊子ＢＫが適切に作製される。
【００６９】
図８に示す設定画面の中央に表示される「原稿順設定」は、自動原稿供給装置ＡＤＦに原稿を上から順にオモテ表紙、中身の用紙１枚目、中身の用紙２枚目・・・と重ね、一番下にウラ表紙をユーザーがセットする場合に利用される設定画面である。このような順序でユーザーが複数の原稿を自動原稿供給装置ＡＤＦにセットしてリング製本のジョブを実行する場合は、選択釦ＯＰ７を押して選択し、その後ＯＫ釦ＯＰ９を押して「原稿順設定」を利用した原稿のセット順序の設定が完了する。その後、操作表示部ＯＰにおけるスタート釦（不図示）がユーザーによって押されてリング製本のジョブが実行される。
【００７０】
リング製本のジョブが実行されると、図１１（ｃ）に示す順序で自動原稿供給装置ＡＤＦにセットされた複数の原稿が順々にスキャナ２で読み取られる。画像形成装置ＩＦでは図１１（ｃ）に示す順序で原稿を読み取ることを認識でき、読み取った画像を一旦保存しつつ、ウラ表紙の原稿（図１１（ｃ）におけるｎ枚目の用紙）がスキャナ２に読み取られたらリング製本のジョブにおける画像形成動作を開始し、図１１（ｂ）に示すリング製本用の画像形成順序に沿って適切に画像を形成する。そして画像が形成された用紙を利用してリング製本装置ＲＧにおいてリング製本され、図１０（ａ）に示す冊子ＢＫが適切に作製される。
【００７１】
但し、「原稿順設定」を利用して原稿のセット順序を設定し、それに基づいてリング製本のジョブを実行する場合は、ウラ表紙が最後にスキャナ２において読み取られるため、ウラ表紙が読み取られるまでリング製本用に画像形成が開始出来ず、冊子ＢＫの生産性の観点で好ましくはない。そこでより早く冊子ＢＫを作製するために、図８に示す設定画面の右側に表示される「おすすめ原稿設定」の設定画面が存在する。
【００７２】
「おすすめ原稿設定」はリングバインダＲＢ付きの冊子ＢＫをなるべく早く作製するために推奨する原稿のセット順序を表示してユーザーに選択してもらう設定画面であり、「おすすめ原稿設定」では、自動原稿供給装置ＡＤＦに原稿を上から順にウラ表紙、オモテ表紙、中身の用紙１枚目、中身の用紙２枚目・・・と重ねてユーザーがセットする場合に利用される。このような順序でユーザーが複数の原稿を自動原稿供給装置ＡＤＦにセットしてリング製本のジョブを実行する場合は、選択釦ＯＰ８を押して選択し、その後ＯＫ釦ＯＰ９を押して「おすすめ原稿設定」を利用した原稿のセット順序の設定が完了する。その後、操作表示部ＯＰにおけるスタート釦（不図示）がユーザーによって押されてリング製本のジョブが実行される。
【００７３】
リング製本のジョブが実行されると、最初にウラ表紙がスキャナ２に読み取られ、直ぐにリング製本用の画像形成が可能となり、冊子ＢＫの生産性の観点で良好である。また、他の設定方法と同様に、画像形成装置ＩＦでは、どの原稿をどのような順序で読み取ったのか画像形成装置ＩＦにおいて認識でき、図１１（ｂ）に示すリング製本用の画像形成順序に沿って適切に画像を形成出来る。そして画像が形成された用紙を利用してリング製本装置ＲＧにおいてリング製本され、図１０（ａ）に示す冊子ＢＫが適切に作製される。なお、「おすすめ原稿設定」については、冊子ＢＫの生産性が向上する点をユーザーに分かりやすいように音声でガイダンスしてもよい。
【００７４】
以上説明したように、画像形成システムにおいてリング製本のジョブを実行する場合に、リング製本された冊子の表紙（ウラ表紙、オモテ表紙）に対応する原稿を含む複数の原稿の自動原稿供給装置ＡＤＦにおけるセット順序に関して、ユーザーが設定する画面を操作表示部ＯＰに表示してユーザーに選択してもらえば、自動原稿供給装置ＡＤＦにおける複数の原稿のセット順序を把握し、図１０（ａ）に示すリングバインダＲＢ付きの冊子ＢＫを適正に作製することが出来る。
【００７５】
図８ではオモテ表紙、ウラ表紙、表紙間に挟まれる中身の用紙がどのような順序で自動原稿供給装置ＡＤＦにセットされるかをユーザーが直接、手動で設定する場合について説明したが、図７の設定画面でユーザーによって選択釦ＯＰ３を押され、「オモテ表紙・ウラ表紙  自動認識」を選択された場合は、操作表示部ＯＰにおけるスタート釦（不図示）がユーザーによって押されてリング製本のジョブが実行されると、原稿のセット順序について画像形成装置ＩＦで自動的に認識する。
【００７６】
画像形成装置ＩＦで自動的に認識する場合は、例えば、ユーザーによって原稿の中でウラ表紙に該当する原稿に「Ｒ」という文字が記載され、オモテ表紙に該当する原稿に「Ｆ」をいう文字を記載される。そして、スキャナ２において読み取った原稿の画像データを表紙検出部ＨＫ（図５参照）が解析して、ウラ表紙とオモテ表紙に対応する原稿を認識する。その他の原稿は読み取られた順に中身１枚目の用紙、中身２枚目の用紙・・・というように認識する。なお、ウラ表紙、オモテ表紙を認識のための原稿に記載された「Ｆ」や「Ｒ」の文字が、出力される用紙には画像形成されない。
【００７７】
このように表紙検出部ＨＫの検出結果により用紙に画像を形成すれば、原稿のセット順序をユーザーが直接、手動で設定したように、図１１（ｂ）に示すリング製本用の画像形成順序に沿って適切に画像を形成出来る。そして画像が形成された用紙を利用してリング製本装置ＲＧにおいてリング製本され、図１０（ａ）に示す冊子ＢＫが適切に作製される。
【００７８】
なお、図７に示す設定画面の説明で、リングバインダＲＢ付きの冊子ＢＫを作製するとともにリング製本のジョブを画像形成装置ＩＦの記憶部ＨＤＤに記憶可能であることを述べたが、リング製本のジョブを画像形成装置ＩＦの記憶部ＨＤＤに記憶する場合は、図７に示す設定画面の後か、図８に示す設定画面の後に図９に示す設定画面が操作表示部ＯＰに表示される。
【００７９】
図９に示す設定画面は、スキャナ２で読み取る複数の原稿データの記憶順序を設定する画面である。自動原稿供給装置ＡＤＦにセットされた複数の原稿は上から順に搬送されてスキャナ２で読み取られ、その読み取られる原稿順に原稿データを記憶する場合は、選択釦ＯＰ１０を押して記憶順序を選択する。画像形成装置ＩＦの記憶部ＨＤＤでは、スキャナ２で読み取られる順に原稿データを記憶していく。
【００８０】
そして記憶された原稿データを操作表示部ＯＰのプレビュー画面で見る場合に、読み取られ原稿順で見ることができ、どのような原稿順に関するジョブなのか、ユーザーは容易に認識出来る。
【００８１】
一方、リング製本のジョブの実行により画像形成された用紙が出力されるように、図１１（ｂ）に示すリング製本用の画像形成順であるウラ表紙、オモテ表紙、中身１枚目の用紙、中身２枚目の用紙・・・・という出力順で記憶する場合は、選択釦ＯＰ１１を押して記憶順序を選択する。スキャナ２に順次送られる原稿がウラ表紙であるか、オモテ表紙であるか等は、図８に示す設定画面によりユーザーが直接、手動により設定されるか、画像形成装置ＩＦが自動的に認識出来るため、その認識結果に基づいて、出力順に記憶する。      
【００８２】
そして記憶された原稿データを操作表示部ＯＰのプレビュー画面で見る場合は、リング製本の出力順に見ることが出来るため、どのような形態のリング製本に関するジョブなのか、容易にユーザーは認識出来る。
【００８３】
このように図９に示す設定画面を表示して、スキャナ２で読み取る複数の原稿データの記憶順序をユーザーの要望により設定することが出来れば、後で原稿データをプレビュー画面で見る場合に有効である。
【００８４】
以上、図１〜図１１を用いて本発明を説明したが、本発明は当該実施形態に限定されるものではなく、本発明の要旨を逸脱しない範囲における変更や追加があっても本発明に含まれる。
【符号の説明】
【００８５】
ＬＴ  大容量給紙装置
ＩＦ  画像形成装置
ＩＮ  用紙挿入装置
ＲＧ  リング製本装置
ＦＮ  フィニッシャ装置
ＡＤＦ  自動原稿供給装置
２  スキャナ
ＯＰ  操作表示部
ＣＬ２、ＣＬ４  制御部
ＨＤＤ  記憶部
ＨＫ  表紙検出部
ＢＫ  冊子
ＲＢ  リングバインダ
ＲＢ１  背骨部
ＲＢ２  指状部
【図１】
2012071445.tif 000003
【図２】
2012071445.tif 000004
【図３】
2012071445.tif 000005
【図４】
2012071445.tif 000006
【図５】
2012071445.tif 000007
【図６】
2012071445.tif 000008
【図７】
2012071445.tif 000009
【図８】
2012071445.tif 000010
【図９】
2012071445.tif 000011
【図１０】
2012071445.tif 000012
【図１１】
2012071445.tif 000013